(57)【要約】【課題】浴室を効率よく乾燥、換気または暖房することができ、また浴室内から浴室外への多湿空気の流出を抑制するようにすることができる浴室暖房乾燥機を提供することを目的としている。【解決手段】浴室１の天井又は側壁に設置される浴室暖房乾燥機本体２であって、浴室内と浴室外を隔てる戸１３に備えられた一枚以上の羽板１４を開閉させる羽板制御手段を備えた浴室暖房乾燥機であり、浴室暖房乾燥機本体２に連動して、浴室外と浴室内の空気の遮蔽及び流入または流出を任意に調整することにより、浴室を効率良く乾燥、換気または暖房することができ、また浴室内から浴室外への多湿空気の流出を抑制するようにすることができ、浴室内に供給される熱量と風量と水量のロスを抑制するようにすることができる。【選択図】図１
2008170053.tif 000002
【特許請求の範囲】
【請求項１】
浴室内と浴室外を隔てる戸に空気を遮蔽若しくは通気する羽板を一枚以上備え、一枚以上の前記羽板を開閉させる羽板制御手段を備えたことを特徴とする浴室暖房乾燥機。
【請求項２】
羽板制御手段は、浴室暖房乾燥機の運転と連動して羽板を開閉させることを特徴とする請求項１に記載の浴室暖房乾燥機。
【請求項３】
羽板制御手段は、浴室外への浴室内の湿気の流出を抑制するようにすることを特徴とする請求項１または２に記載の浴室暖房乾燥機。
【請求項４】
羽板制御手段は、羽板の圧力抵抗を低下させて浴室外から浴室内へ空気を流入させることを特徴とする請求項１から３のいずれかに記載の浴室暖房乾燥機。
【請求項５】
人を感知する人感知手段を備え、羽板制御手段は、前記人感知手段による人感知と連動して羽板を開閉させることを特徴とする請求項１から４のいずれかに記載の浴室暖房乾燥機。
【請求項６】
羽板制御手段は、浴室内の温湿度をほぼ一定に調整することを特徴とする請求項１から５のいずれかに記載の浴室暖房乾燥機。
【請求項７】
浴室内と浴室外との圧力差を検出する圧力差検出手段を備えたことを特徴とする請求項１から６のいずれかに記載の浴室暖房乾燥機。
【請求項８】
圧力差検出手段により検知された浴室内と浴室外の圧力差に応じて、浴室内の温湿度を調整する請求項７に記載の浴室暖房乾燥機。
【請求項９】
圧力差検出手段は、浴室内と浴室外を隔てる戸の開閉を検出することを特徴とする請求項７または８に記載の浴室暖房乾燥機。
【請求項１０】
戸の開閉を浴室の使用者に認識させる戸開閉お知らせ手段を備えたことを特徴とする請求項１から９いずれかに記載の浴室暖房乾燥機。
【請求項１１】
人感知手段と戸開閉御知らせ手段とを連動させたことを特徴とする請求項１０記載の浴室暖房乾燥機。
【請求項１２】
空気を吹出す吹出口を備え、羽板制御手段は、前記吹出口の空気の吹出方向に連動して羽板を開閉することを特徴とする請求項１から１１いずれかに記載の浴室暖房乾燥機。
【発明の詳細な説明】
【技術分野】
【０００１】
本発明は、浴室の天井又は側壁に設置し、浴室内を乾燥、換気または暖房するため使用される、若しくは浴室内を適温多湿に保ち入浴者にサウナ空間を提供するために使用される、若しくは浴室内において衣類を乾燥させるために使用される浴室暖房乾燥機に関するものである。なお、以下の文で、熱源としてガスあるいは石油をエネルギー源とする熱源機により空気を加熱するものを例にとって説明するが、熱源としてヒーターにより空気を加熱する電気式のものも本発明の対象である。
【背景技術】
【０００２】
従来から、浴室内を換気するために換気扇を駆動させたときに、前記浴室内に設けた通気口が開くようにした浴室内の換気構造が知られている（例えば、特許文献１）。浴室の上部に設けられた換気扇が運転すると、浴室内と浴室外を隔てる戸の下端付近に設けられた１枚以上の羽板から構成される通気口より浴室外の空気が流入し、浴室内の空気が下部から上部へと浴室内全体に流れて、浴室内が乾燥される。また、前記換気扇に連動して、前記通気口の開閉を行うことにより、前記換気扇の作動時にのみ前記通気口が開き、浴室外より空気が流入して浴室内の乾燥が行われ、前記換気扇が停止状態にある通常時には、前記通気口は閉じられており、浴室内が保温される。
【特許文献１】特開２００２−３７２２６７号公報
【発明の開示】
【発明が解決しようとする課題】
【０００３】
浴室内は高温多湿空間であり、入浴後に十分に乾燥が行われない状態にあると浴室内の天井や壁面にカビが発生しやすく、不衛生になりやすいため、入浴後に十分に浴室内を乾燥させるための乾燥及び換気機能を有する浴室暖房乾燥機が普及している。しかし、浴室内と浴室外に有効な風路が形成されていないと圧力抵抗が大きくなり、浴室暖房乾燥機から供給される熱量と風量のロスが発生し、これら浴室内の乾燥に必要な熱量と風量のロスを抑制するようにすることが望まれていた。
【０００４】
また、冬場などに浴室内の低温度に伴うヒートショックによる入浴者の体への負担を軽減するために、浴室内を入浴前に予め暖めておく暖房機能を有する浴室暖房乾燥機が普及している。しかし、浴室内が密閉された状態では圧力抵抗が大きいため、浴室内全体の空気を循環させ特に浴室床面の温度を上昇させるためには多くの熱量と風量のロスが発生し、これら浴室内の暖房に必要な熱量と風量のロスを抑制するようにすることが望まれていた。
【０００５】
さらに、近年浴室内を高温多湿に保ち入浴者にサウナ空間を提供するためのサウナ機能を有する浴室暖房乾燥機が普及している。しかし、この多湿空気が浴室外へ流出により浴室外の湿度を高めてしまい、浴室外の床や壁にカビが発生し不衛生になりやすい。さらに、浴室外へ高温多湿空気が流出することにより、浴室内を高温多湿空間に保つために必要な熱量と風量と水量のロスが発生し、これら熱量と水量の消費量を抑制するようにすることが望まれていた。
【０００６】
本発明は、このような従来の課題を解決するためのものであり、浴室を効率よく乾燥、換気または暖房することができ、また浴室内から浴室外への多湿空気の流出を抑制するようにすることができる浴室暖房乾燥機を提供することを目的としている。
【課題を解決するための手段】
【０００７】
本発明の浴室暖房乾燥機は、上記の目的を達成するために、浴室の天井又は側壁に設置される浴室暖房乾燥機であって、浴室内と浴室外を隔てる戸に空気を遮蔽若しくは通気する羽板を一枚以上備え、一枚以上の前記羽板を開閉させる羽板制御手段を備えたことである。
【０００８】
この手段により、浴室外と浴室内の空気の遮蔽及び流入または流出を任意に調整することができ、浴室内に供給される熱量と風量と水量のロスを抑制するようにすることができる浴室暖房乾燥機が得られる。
【０００９】
また、本発明の浴室暖房乾燥機は、上記の目的を達成するために、羽板制御手段は、浴室暖房乾燥機の運転と連動して羽板を開閉させることである。
【００１０】
この手段により、浴室暖房乾燥機の運転モードに合わせて、浴室外と浴室内の空気の遮蔽及び流入または流出を任意に調整することができ、浴室内に供給される熱量と風量と水量のロスを抑制するようにすることができる浴室暖房乾燥機が得られる。
【００１１】
また、本発明の浴室暖房乾燥機は、上記の目的を達成するために、浴室外への浴室内の湿気の流出を抑制する羽板制御手段を備えたことである。
【００１２】
この手段により、浴室外への浴室内の多湿空気の流出を抑制し、浴室外の湿度の上昇を抑制することができ、浴室内に供給される熱量と風量と水量のロスを抑制するようにすることができる浴室暖房乾燥機が得られる。
【００１３】
また、本発明の浴室暖房乾燥機は、上記の目的を達成するために、羽板の圧力抵抗を低下させて浴室外から浴室内へ空気を流入させる羽板制御手段を備えたことである。
【００１４】
この手段により、浴室外から浴室内に効率的に空気を流入させ、浴室内の乾燥と換気を効率よく行うことができ、浴室内に供給される熱量と風量のロスを抑制するようにすることができる浴室暖房乾燥機が得られる。
【００１５】
また、本発明の浴室暖房乾燥機は、上記の目的を達成するために、人を感知する人感知手段を備え、羽板制御手段は、前記人感知手段による人感知と連動して羽板を開閉させることである。
【００１６】
この手段により、前記人感知手段が浴室内に人を感知すると前記羽板制御手段により、浴室外と浴室内の空気の遮蔽及び流入または流出を自動的に調整することができる浴室暖房乾燥機が得られる。
【００１７】
また、本発明の浴室暖房乾燥機は、上記の目的を達成するために、浴室内の温湿度をほぼ一定に調整するように羽板制御手段を備えたことである。
【００１８】
この手段により、前記羽板制御手段により浴室外と浴室内の空気の遮蔽及び流入または流出を調整することで浴室内の温湿度をほぼ一定に保つことができる浴室暖房乾燥機が得られる。
【００１９】
また、本発明の浴室暖房乾燥機は、上記の目的を達成するために、羽板に備えられた浴室内と浴室外との圧力差を検出する圧力差検出手段を備えたことである。
【００２０】
この手段により、浴室内と浴室外の圧力差を検出することができる浴室暖房乾燥機が得られる。
【００２１】
また、本発明の浴室暖房乾燥機は、上記の目的を達成するために圧力差検出手段により検知された浴室内と浴室外の圧力差に応じて、浴室内の温湿度を調整することである。
【００２２】
この手段により、浴室内と浴室外の圧力差に応じて、前記浴室暖房乾燥機の運転モードを制御し、効率良く浴室内及び浴室外の温湿度を調整することができる浴室暖房乾燥機が得られる。
【００２３】
また、本発明の浴室暖房乾燥機は、上記の目的を達成するために、戸の開閉を検出する圧力差検出手段を備えたことである。
【００２４】
この手段により、浴室の開閉を検出することができ、浴室内に供給される熱量と風量と水量のロスを抑制するようにすることができる浴室暖房乾燥機が得られる。
【００２５】
また、本発明の浴室暖房乾燥機は、上記の目的を達成するために、戸の開閉を浴室の使用者に認識させる戸開閉お知らせ手段を備えたことである。
【００２６】
この手段により、浴室の使用時に浴室の使用者が戸の開閉を認識し、浴室外への浴室内からの多湿空気の流出と浴室外から浴室内への低温空気の流入を抑制することができ、浴室内に供給される熱量と風量と水量のロスを抑制するようにすることができる浴室暖房乾燥機が得られる。
【００２７】
また、本発明の浴室暖房乾燥機は、上記の目的を達成するために、前記人感知手段と前記戸開閉お知らせ手段とを連動させたことである。
【００２８】
この手段により、前記人感知手段が浴室内の人を感知すると前記戸開閉お知らせ手段によって、浴室の使用者に前記戸の開閉を認知させることができる浴室暖房乾燥機が得られる。
【００２９】
また、本発明の浴室暖房乾燥機は、上記の目的を達成するために、空気を吹出す吹出口を備え、羽板制御手段は、前記吹出口の空気の吹出方向に連動して羽板を開閉することである。
【００３０】
この手段により、前記吹出口からの空気の吹出方向に連動して前記羽板を制御することによって、浴室外と浴室内の空気の遮蔽及び流入または流出を任意に調整することができ、浴室内に供給される熱量と風量と水量のロスを抑制するようにすることができる浴室暖房乾燥機が得られる。
【発明の効果】
【００３１】
本発明によれば、浴室暖房乾燥機に連動して、浴室外と浴室内の空気の遮蔽及び流入または流出を任意に調整することにより、浴室を効率良く乾燥、換気または暖房することができ、また浴室内から浴室外への多湿空気の流出を抑制するようにすることができ、浴室内に供給される熱量と風量と水量のロスを抑制するようにすることができる浴室暖房乾燥機を提供できる。
【発明を実施するための最良の形態】
【００３２】
本発明の請求項１記載の浴室暖房乾燥機は、浴室の天井又は側壁に設置される浴室暖房乾燥機であって、浴室内と浴室外を隔てる戸に空気を遮蔽若しくは通気する羽板を一枚以上備え、一枚以上の前記羽板を開閉させる羽板制御手段を備えた浴室暖房乾燥機であり、浴室外と浴室内の空気の遮蔽及び流入または流出を任意に調整することができるという作用を有する。
【００３３】
本発明の請求項２記載の浴室暖房乾燥機は、羽板制御手段は、浴室暖房乾燥機の運転と連動して羽板を開閉させることを特徴とする請求項１に記載の浴室暖房乾燥機であり、浴室暖房乾燥機の運転モードに合わせて、浴室外と浴室内の空気の遮蔽及び流入または流出を任意に調整することができるという作用を有する。
【００３４】
本発明の請求項３記載の浴室暖房乾燥機は、浴室外への浴室内の湿気の流出を抑制する羽板制御手段を備えた請求項１または２に記載の浴室暖房乾燥機であり、浴室外への浴室内の多湿空気の流出を抑制し、浴室外の湿度の上昇を抑制するようにできるという作用を有する。
【００３５】
本発明の請求項４記載の浴室暖房乾燥機は、羽板制御手段は、羽板の圧力抵抗を低下させて浴室外から浴室内へ空気を流入させることを特徴とする請求項１から３のいずれかに記載の浴室暖房乾燥機であり、浴室外から浴室内に効率的に空気を流入させ、浴室内の乾燥と換気を効率よく行うことができるという作用を有する。
【００３６】
本発明の請求項５記載の浴室暖房乾燥機は、人を感知する人感知手段を備え、羽板制御手段は、前記人感知手段による人感知と連動して羽板を開閉させることを特徴とする請求項１から４のいずれかに記載の浴室暖房乾燥機であり、前記人感知手段が浴室内に人を感知すると前記羽板制御手段により、浴室外と浴室内の空気の遮蔽及び流入または流出を自動的に調整することができる作用を有する。
【００３７】
本発明の請求項６記載の浴室暖房乾燥機は、浴室内の温湿度をほぼ一定に調整するように羽板制御手段を備えた請求項１から５いずれかに記載の浴室暖房乾燥機であり、前記羽板制御手段により浴室外と浴室内の空気の遮蔽及び流入または流出を調整することで浴室内の温湿度をほぼ一定に保つことができる作用を有する。
【００３８】
本発明の請求項７記載の浴室暖房乾燥機は、羽板に備えられた浴室内と浴室外との圧力差を検出する圧力差検出手段を備えた請求項１から６いずれかに記載の浴室暖房乾燥機であり、浴室内と浴室外の圧力差を検出することができるという作用を有する。
【００３９】
本発明の請求項８記載の浴室暖房乾燥機は、圧力差検出手段により検知された浴室内と浴室外の圧力差に応じて、浴室内の温湿度を調整する請求項７に記載の浴室暖房乾燥機であり、浴室内と浴室外の圧力差に応じて、前記浴室暖房乾燥機の運転モードを制御し、効率良く浴室内の温湿度を調整することができる作用を有する。
【００４０】
本発明の請求項９記載の浴室暖房乾燥機は、戸の開閉を検出すること圧力差検出手段を備えた請求項７または８に記載の浴室暖房乾燥機であり、浴室の開閉を検出することができるという作用を有する。
【００４１】
本発明の請求項１０記載の浴室暖房乾燥機は、戸の開閉を浴室の使用者に認識させる戸開閉お知らせ手段を備えた請求項１から９いずれかに記載の浴室暖房乾燥機であり、浴室の使用時に浴室の使用者が戸の開閉を認識し、浴室外への浴室内からの多湿空気の流出と浴室外から浴室内への低温空気の流入を抑制することができるという作用を有する。
【００４２】
本発明の請求項１１記載の浴室暖房乾燥機は、前記人感知手段と前記戸開閉お知らせ手段とを連動させた請求項１０に記載の浴室暖房乾燥機であり、前記人感知手段が浴室内の人を感知すると前記戸開閉お知らせ手段によって、浴室の使用者に前記戸の開閉を認知させることができるという作用を有する。
【００４３】
本発明の請求項１２記載の浴室暖房乾燥機は、  空気を吹出す吹出口を備え、羽板制御手段は、前記吹出口の空気の吹出方向に連動して羽板を開閉することを特徴とする請求項１から１１いずれかに記載の浴室暖房乾燥機であり、前記吹出口からの空気の吹出方向に連動して前記羽板を制御することによって、浴室外と浴室内の空気の流入量または流出量を任意に調整することができるという作用を有する。
【００４４】
以下、本発明の実施の形態について図面を参照しながら説明する。
【００４５】
（実施の形態１）
図１は本発明の実施の形態における浴室暖房乾燥機の概略断面図、図２は羽板駆動部の概略断面図である。
【００４６】
図１において、浴室１の天井に浴室暖房乾燥機本体２が設置されており、浴室外には熱源として給湯器３（例えば、ガス給湯器または電気給湯器）が設置されている。この浴室暖房乾燥機本体２には浴室内の空気を換気する換気手段としての換気部４と、浴室内の空気を循環させる循環手段としての循環部５と、浴室内に空気を吹出す吹出口６と、浴室内の空気を吸込む吸込口７と、浴室内の空気と温水とを熱交換させて空気を加熱する熱交換部８と、前記給湯器３と前記熱交換部８とを接続する温水供給路９ａと、浴室内に供給する多湿空気を生成する手段としてのミスト発生部１０と、前記給湯器３と前記ミスト発生部１０とを接続する温水供給路９ｂと、前記浴室暖房機本体２を制御するリモコン１１と、前記浴室１内の人を検知する人検知手段としての人感センサー１２（例えば、赤外線センサー）と、浴室内と浴室外とを隔てる戸１３と、前記戸１３の下端に設けられた１枚以上の羽板１４から構成された通気口１５と、前記羽板１４の開閉を制御する羽板制御手段としての羽板駆動部１６（例えば、ステッピングモーター、ソレノイド、磁石のうち羽板を開閉させることができる駆動装置）と、前記羽板１４に設けられた浴室内と浴室外との圧力差を検出する圧力差検出手段としての圧力センサー１７（例えば、バネ式圧力センサー、流量センサー、加速度センサーなど圧力を検出することができるセンサー）と、前記戸１３の開閉を浴室の使用者に認識させる戸開閉御知らせ手段としての表示部１８（例えば、ＬＥＤ、液晶）と、前記吹出口６からの空気の吹出方向を変化させるルーバー１９と、から構成される。
【００４７】
浴室暖房乾燥機本体２が停止状態にあるとき、若しくは人感センサー１２が浴室１内に人を検知したとき、羽板駆動部１６は羽板１４を閉じた状態にして（例えば、０度）、浴室内の空気が浴室外へ流出すること若しくは浴室外の空気が浴室内へ流入することを抑制する。
【００４８】
浴室の使用者が浴室暖房乾燥機本体２の換気運転を開始すると、羽板駆動部１６は羽板１４を閉じて（例えば、０度）、浴室１内から浴室１外へ流出する多湿空気の流出を防止し、浴室１内の上方に滞った高温多湿空気を浴室暖房乾燥機本体２によって、屋外へ排出する。
【００４９】
浴室暖房乾燥機本体２の換気運転が開始されて一定時間経過した後（例えば、５分）、圧力センサー１７によって、浴室１内の圧力（浴室内圧）と浴室１外の圧力（浴室外圧）との浴室圧力差（浴室内圧―浴室外圧）を検出し、浴室圧力差が負となる条件を満たした時（浴室内圧＜浴室外圧）、羽板駆動部１６は羽板１４を徐々（例えば、６０度／分）に一定の開度（例えば、１８０度）まで開閉させ、通気口１５を通過する風速が最大と成る羽板１４の開度を検出する。
【００５０】
羽板１４が一定の開度まで開閉された後、風速が最大と成るように羽板駆動部１６は羽板１４の開度を調節し、風速が最大と成る換気開度Ａの位置に羽板１４を開閉させる。換気開度Ａにおいて風路ａ２０の圧力抵抗は最小となり、浴室１内に浴室１の下端から空気が流入し、浴室１内を効率的に換気する。更に一定時間経過した後（例えば、５分）、羽板駆動部１６は換気開度Ａを中心に羽板１４を開閉（例えば、換気開度Ａ±１５度）し、風速が最大と成る羽板１４の開度を検出する。
【００５１】
羽板駆動部１６は羽板１４を前記風速が最大と成る開度すなわち前記風路ａ２０の圧力抵抗が最小の換気開度Ｂの位置に羽板１４を開閉させ、浴室１内を効率的に換気する。この羽板１４の開度調整を浴室の使用者が設定した換気時間が経過する若しくは浴室の使用者が浴室暖房乾燥機本体２の停止状態を選択するまで一定の時間間隔（例えば、５分）で繰り返し（換気開度Ａ→換気開度Ｂ→換気開度Ｃ→換気開度・・・）、効率よく前記浴室１内を換気する。浴室の使用者が設定した換気時間が経過する若しくは浴室の使用者が前記浴室暖房乾燥機本体２の停止状態を選択すると、羽板駆動部１６は、浴室暖房乾燥機本体２の停止状態にあるときと同様に前記羽板１４を開閉させる。
【００５２】
浴室の使用者が浴室暖房乾燥機本体２の暖房運転を開始すると、羽板駆動部１６は羽板１４を閉じて（例えば、０度）、浴室暖房乾燥機本体２から浴室１内に供給される温風の浴室外への流出を防止する。浴室暖房乾燥機本体２の暖房運転が開始されて、浴室内の温度が上昇し、一定時間経過した後（例えば、５分）、圧力センサー１７によって、浴室圧力差を検出し、浴室圧力差が正となる条件を満たした時（浴室内圧＞浴室外圧）、羽板駆動部１６は羽板１４を徐々（例えば、１５度／分）に一定の開度（例えば、４５度）まで開閉させて、通気口１５を通過する風速が最大と成る前記羽板１４の開度を検出する。
【００５３】
羽板１４が一定の開度まで開閉された後、最大風速の一定の割合の風速（例えば、１０％）と成るように羽板駆動部１６は羽板１４の開度を調節し、最大風速の一定の割合の風速と成る暖房開度Ａの位置に羽板１４を開閉させる。暖房開度Ａにおいて浴室１内と前記浴室１外とに浴室圧力差があるため、前記浴室暖房乾燥機本体２から浴室内に供給される温風は前記浴室１床面まで到達することになり、浴室床面を通過する温風量が増加するため浴室床面に供給される熱量は増加し、浴室内を効率的に暖房する。
【００５４】
更に一定時間経過した後（例えば、５分）、羽板駆動部１６は暖房開度Ａを中心に羽板１４を開閉（例えば、暖房開度Ａ±５度）し、最大風速と成る羽板１４の開度を検出する。最大風速の一定の割合の風速と成る暖房開度Ｂの位置に羽板１４を開閉させ、浴室１内を効率的に暖房する。この羽板１４の開度調整を浴室の使用者が設定した暖房時間が経過する若しくは浴室の使用者が前記浴室暖房乾燥機本体２の停止状態を選択するまで一定の時間間隔（例えば、５分）で繰り返し（暖房開度Ａ→暖房開度Ｂ→暖房開度Ｃ→暖房開度・・・）、効率よく前記浴室１内を暖房する。
【００５５】
浴室内の温度が浴室の使用者によって設定された任意の温度（例えば、３５度）になると、羽板駆動部１６により羽板１４を閉じた状態（例えば、０度）にして、浴室１内の温かい空気が前記浴室１外へ流出することを抑制することで、前記浴室１内の温度を保つ。浴室の使用者が設定した暖房時間が経過する若しくは浴室の使用者が浴室暖房乾燥機本体２の停止状態を選択すると、羽板駆動部１６は、浴室暖房乾燥機本体２の停止状態にあるときと同様に前記羽板１４を開閉させる。
【００５６】
浴室の使用者が浴室暖房乾燥機本体２の乾燥運転を開始すると、羽板駆動部１６は羽板１４を閉（例えば、０度）じて、浴室暖房乾燥機本体２によって供給される温風の前記浴室１外への流出を抑制し、浴室１内の上方に滞った高温多湿空気を屋外に排出する。乾燥運転が開始されて一定時間経過した後（例えば、１０分）、圧力センサー１７によって、浴室圧力差を検出し、浴室圧力差が負の条件を満たした時は浴室暖房乾燥機本体２の換気運転時と同様に羽板駆動部１６は羽板１４を開閉させる。一方、浴室圧力差が正の条件を満たした時は浴室暖房乾燥機本体２の暖房運転時と同様に羽板駆動部１６は羽板１４を開閉させる。すなわち、浴室圧力差の値に応じて、羽板駆動部１６は前記羽板１４を開閉させる。
【００５７】
更に一定時間が経過した後（例えば、１０分）、羽板駆動部１６は羽板１４を再度閉じて、浴室暖房乾燥機本体２によって供給される温風の浴室１外への流出を抑制し、浴室１内の多湿空気を屋外に排出する。更に一定時間経過した後（例えば、１０分）、圧力センサー１７によって、浴室圧力差を検出し、浴室圧力差の値に応じて、羽板駆動部１６は羽板１４を開閉させ、効率的に前記浴室１内を乾燥させる。
【００５８】
浴室の使用者が設定した乾燥時間が経過する若しくは浴室の使用者が浴室暖房乾燥機本体２の停止状態を選択すると、羽板駆動部１６は、浴室暖房乾燥機本体２の停止状態にあるときと同様に前記羽板１４を開閉させる。
【００５９】
浴室の使用者が浴室暖房乾燥機本体２のサウナ運転を開始すると、羽板駆動部１６は羽板１４を閉じて（例えば、０度）、浴室暖房乾燥機本体２から浴室１内に供給される高温多湿空気の浴室１外への流出を抑制し、浴室暖房乾燥機本体２から供給される熱量と水量のロスと浴室１外の湿度の上昇とを抑制する。
【００６０】
さらに、浴室暖房乾燥機本体２の運転時に、羽板駆動部１６とルーバー１９とを連動して動作させることで、風路ａ２０若しくは風路ｂ２１の気流および圧力抵抗を調節し、効率的に浴室内を乾燥、換気または暖房することができる。すなわち、浴室１内の任意の部分に多くの風を通過させたいとき、ルーバー１９を任意の部分に向け、羽板駆動部１６が羽板１４を開閉させて風路ａ２０若しくは風路ｂ２１を制御することにより、任意の部分を通過する空気の量を調整することができる。
【００６１】
また、浴室１の使用者が戸１３を開放した状態で、人感センサー１２で浴室１内に人を感知する若しくは前記浴室暖房乾燥機本体２の運転を開始しようとすると、圧力センサー１７によって、戸１３の開閉を検出し、表示部１８に戸１３が開いた状態であることを使用者に知らせ、浴室暖房乾燥機本体２から供給される熱量と水量のロスを抑制し、浴室１外への多湿空気の流出を抑制する。
【００６２】
従って、本実施の形態により、浴室暖房乾燥機に連動して、浴室外と浴室内の空気の遮蔽及び流入または流出を任意に調整することにより、浴室を効率良く乾燥、換気または暖房することができ、また浴室内から浴室外への多湿空気の流出を抑制するようにすることができ、浴室内に供給される熱量と風量と水量のロスを抑制するようにすることができる浴室暖房乾燥機を提供できる。
【００６３】
なお、実施の形態１では、羽板を前記戸１３に設ける構成にしたが、浴室の壁面や天井の開口部なら何処に羽板を設けてもよい。このように構成すれば、浴室の設置状況に応じて変化する浴室内と浴室外との温度差、圧力差等の浴室内外の雰囲気条件に合わせて、浴室暖房乾燥機から供給される熱量と風量と水量のロスを抑制することができる。
【００６４】
なお、実施の形態１では、戸開閉御知らせ手段としての表示部１８をリモコン１１上に設けるように構成したが、リモコンにスピーカーを設け、音声で前記戸開閉御知らせ手段として構成にしてもよい。また浴室暖房機本体に直接表示部またはスピーカーを設け、前記戸開閉御知らせ手段として構成してもよい。このように構成すれば、光や音声を用いて浴室の使用者が戸１３の開閉を認識し、使用状況に合わせて戸１３を開閉することにより、浴室内の多湿空気の浴室外への流出と、浴室外からの低温空気の流入を抑制することができ、浴室暖房乾燥機から供給される熱量と風量と水量のロスを抑制することができる。
【産業上の利用可能性】
【００６５】
本発明の浴室暖房乾燥機の羽板制御手段は、閉鎖された空間の空気の交換を行う部分に用いることで、閉鎖された空間の空気の入替えを効率的に行うことができる分野などにも適用できる。
【図面の簡単な説明】
【００６６】
【図１】本発明の実施の形態１の浴室暖房乾燥機を示す概略断面図
【図２】本発明の実施の形態１の羽板駆動部の概略断面図
【符号の説明】
【００６７】
１    浴室
２    浴室暖房乾燥機本体
３    給湯器
４    換気部
５    循環部
６    吹出口
７    吸込口
８    熱交換部
９ａ  温水供給路
９ｂ  温水供給路
１０  ミスト発生部
１１  リモコン
１２  人感センサー
１３  戸
１４  羽板
１５  通気口
１６  羽板駆動部
１７  圧力センサー
１８  表示部
１９  ルーバー
２０  風路ａ
２１  風路ｂ
２２  開度
【図１】
2008170053.tif 000003
【図２】
2008170053.tif 000004